(57)【要約】【課題】冷温水を供給し、横置きに設置される水中ポンプに関し、特に運転可能最低水位を低減させるものを提供すること。【解決手段】水中ポンプ１は、水中モータ１０と、水中モータ１０を覆う吸込ケーシング２０と、水中モータ１０の出力軸１３にブッシュ等の継手１４を介して連結された回転軸２９と、回転軸２９に接続された複数のポンプ部３０と、ポンプ部３０に接続された吐出ケーシング４０と、を備え、吸込ケーシング２０は、吸込ケーシング２０の端部の上方以外に複数の吸込口２６が設けられたストレーナ２７により構成されている。【選択図】      図１
2009079502.tif 000002
【特許請求の範囲】
【請求項１】
その軸心線が水平方向に配設されたケーシングと、このケーシングの一端側内部にモータが収容されたモータ部と、前記ケーシングの他端側内部に前記モータ部により駆動されるインペラを有するポンプ部と、を備え、
前記ケーシングは、前記一端側、且つ、少なくとも上部を除いた外周に設けられた複数の吸込口を備えることを特徴とする水中ポンプ。
【請求項２】
前記ケーシングは、前記モータ部側の前記ポンプ部に隣接する上方に孔部を有することを特徴とする請求項１に記載の水中ポンプ。
【発明の詳細な説明】
【技術分野】
【０００１】
本発明は、冷温水を供給し、横置きに設置される水中ポンプに関し、特に運転可能最低水位を低減させるものに関する。
【背景技術】
【０００２】
給水槽や河川等の水路等の冷温水（以下「水」）を増圧し給水するポンプとして、横置きに設置させる水中ポンプが知られている。このような水中ポンプは、主として、高さ制限のある給水槽内や、運転可能最低水位が低いため、吸込口の高さを低く抑える場合、又、水路を流れる水により縦置きでは転倒の虞がある場合に用いられる。
【０００３】
このような横置きの水中ポンプ１００としては、例えば図２に示すように、軸心が横向きに配置された水中モータ１１０と、この水中モータ１１０に接続された回転軸１２０と、回転軸１２０に接続されたインペラ１３１がポンプケーシング１３２に収納され、複数連結されたポンプ部１３０とを備えている。また、水中モータ１１０を覆い、吸込口１４１が形成されたストレーナ１４２を有する吸込ケーシング１４０と、ポンプ部１３０に接続された吐出ケーシング１５０とを備えている。
【０００４】
また、水中ポンプ１００は、吸込ケーシング１４０や吐出ケーシング１５０等に設けられた支持部材１６０等により水中の底部（例えば受水層底部や川底等）に配置されることとなる。
【０００５】
ストレーナ１４２は、吸込ケーシング１４０の全周を覆うように形成されており、全周を覆うことで、吸込口１４１の面積を確保するとともに、効率の良い吸込みが可能となっている。
【０００６】
このような水中ポンプ１００では、水中モータ１１０に電源が供給され、水中モータ１１０が回転すると、水中モータ１１０に接続された出力軸１１１も回転し、この出力軸１１１に追従してポンプ部１３０のインペラ１３１も回転することとなる。
【０００７】
インペラ１３１が回転することで、流路Ｆに示すように、ポンプ部１３０内の水が増圧され、吐出ケーシング１５０から吐出される。また、インペラ１３１によりポンプ内の水が増圧され、水が吐出口１５０に移動すると、吸込ケーシング１４０内の水圧が低圧となり、ストレーナ１４２の吸込口１４１から水が吸込まれることとなる。これらの繰返しで水が増圧され給水される水中ポンプ１００が知られている。
【０００８】
また、モータを覆うモータケーシングを別途設け、吐出ケーシングとモータケーシングとの間に別途全周にストレーナ及び吸込み口を有する横向きに設置する水中ポンプも知られている（例えば、特許文献１参照）。
【特許文献１】特開２００１−１４０７８７号公報
【発明の開示】
【発明が解決しようとする課題】
【０００９】
上述したような水中ポンプでは次のような問題があった。即ち、上述した水中ポンプ１００の吸込口１４１を有するストレーナ１４２及び特許文献１に記載された水中ポンプのストレーナの吸込口は、水中ポンプの全周に設けられている。
【００１０】
しかし、水中ポンプは、吸込口と水面Ｓとの距離が近づくと、水と一緒に空気を吸込み、ポンプ性能を低下させ、さらに、ガスロックや脈動等が発生する虞がある。また、吸込口と水面Ｓとの距離は、揚水量が多くなると、より近い距離で空気を吸込むこととなる。
【００１１】
このため水中ポンプには、各水中ポンプの能力毎に、図２に示すように、運転可能最低水位Ｗ０が設定されている。即ち、運転可能最低水位Ｗ０から水中ポンプ１００の吸込口１４１の高さＨ０を引いた距離である、吸込口１４１と水面Ｓとの距離（Ｗ０−Ｈ０）を確保していないと、水中ポンプ１００は、吸込ケーシング１４０空気を吸込む虞がある。
【００１２】
しかし、運転可能最低水位Ｗ０が高いほど、水中ポンプの使用できる水位が高くなり、使用できる水の水量に制限が発生することとなった。特に、受水槽等で水中ポンプを用いる場合は、受水槽内の使用できる水が少なくなるため、水槽の大型化が必要となることもある。
【００１３】
そこで本発明は、ストレーナの吸込口から水を吸込む横置きの水中ポンプであっても、運転可能最低水位を低くすることが可能なものを提供することを目的としている。
【課題を解決するための手段】
【００１４】
前記課題を解決し目的を達成するために、本発明の水中ポンプは次のように構成されている。
【００１５】
その軸心線が水平方向に配設されたケーシングと、このケーシングの一端側内部にモータが収容されたモータ部と、前記ケーシングの他端側内部に、前記モータ部により駆動されるインペラを有するポンプ部と、を備え、前記ケーシングは、前記一端側、且つ、少なくとも上部を除いた外周に設けられた複数の吸込口を備えることを特徴とする。
【発明の効果】
【００１６】
本発明によれば、ストレーナの吸込口から水を吸込む横置きの水中ポンプであっても、運転可能最低水位を低くすることが可能なものを提供することが可能となる。
【発明を実施するための最良の形態】
【００１７】
図１は本発明の一実施の形態に係る水中ポンプ１の構成を示す部分断面図である。なお、図１中Ｂはボルトを、Ｆは水の流路を、Ｇは気泡の流れを、Ｎはナットを、Ｐは配管を、Ｓは水面をそれぞれ示している。
【００１８】
図１に示すように水中ポンプ１は、水中モータ（モータ部）１０と、水中モータ１０を覆う吸込ケーシング２０と、水中モータ１０の出力軸１３にブッシュ等の継手１４を介して連結された回転軸２９と、回転軸２９に接続された複数（図１中３つ）のポンプ部３０と、ポンプ部３０に接続された吐出ケーシング４０と、を備えている。また、水中ポンプ１は、吸込ケーシング２０及び吐出ケーシング４０に設けられ、水中ポンプ１を支持可能に形成された支持部材７０を備えている。なお、水中ポンプ１は、吸込ケーシング２０の軸心線が略水平方向に配置されることとなる。
【００１９】
水中モータ１０は、モータ本体１１と、このモータ本体１１に外部から電源を供給する電源ケーブル１２と、出力軸１３とを備えている。なお、電源ケーブル１２は、吸込ケーシング２０側面から内部に挿入され、モータ本体１１に接続されている。
【００２０】
吸込ケーシング２０は、その一端に設けられポンプ部３０と接続される接続部２１と、両端が開口する筒状で、一端側が接続部２１と接続する円筒状のケーシング部２２と、ケーシング部２２の他端に設けられたベース２３と、を備えている。
【００２１】
接続部２１は、円筒であって、その中心にモータ本体１１をボルトＢ等により固定可能に形成された固定部２４を有しており、接続部２１の一方から他方へと水が移動可能な開口部を有している。また、接続部２１の外周部には、例えば４箇所（図１中一箇所のみ表示）に等間隔に配置され、ボルトＢを挿入可能に形成された締結座２１ａを有している。
【００２２】
ケーシング部２２は、内部にモータ本体１１を収納可能な中空形状に形成されるとともに、ポンプ部３０に隣接する一端側であって、水中ポンプ１を配置させた際に、上方に位置する外周面に、小孔２５を有している。また、ケーシング部２２の他端側の外周面であって、水中ポンプ１を配置させた際に、その上方（上部）以外に複数の吸込口２６が設けられたストレーナ２７が設けられている。
【００２３】
ストレーナ２７は、水中ポンプ１を、横置き（軸心線を水平方向）に配置させた際、ケーシング部２２の他端側から一端側の所定の距離、かつ、ケーシング部２２の中心線（軸心線）位置より若干高い位置から下方を介して軸心線を挟んで対向する位置まで設けられている。このとき、吸込口２６の総開口面積を確保するため、例えば従来例（図２参照）のように全周にストレーナ１４２を設けた際の開口面積と同等に形成されている。即ち、ストレーナ２７の面積（吸込口２６の総開口面積）は、所定の吸込量が得られる開口面積に適宜設定される。なお、吸込口２６の径は、例えば不純物（藻やゴミ）等を吸込ケーシング２０内部へと進入させない径に形成されている。
【００２４】
このようなケーシング部２２は、例えば一枚の鋼板（例えばステンレス鋼）等の所定の位置に、小孔２５及び吸込口２６を打ち抜き加工等により形成し、さらに、鋼板を円筒状に成形させることで形成されている。
【００２５】
ベース２３は、ケーシング部２２の開口する他端側を覆うとともに、モータ本体１１の端部を保持可能に形成されている（不図示）。また、ベース２３は、水中ポンプ１を縦置きに設置時であっても、水中ポンプ１を直立可能に、その端部が水中ポンプ１の最大外径よりも大に形成されるとともに、その端部に複数（例えば４つ）の台座部２８を有している。この台座部２８は、ベース２３の外径から突出し、ボルトＢを挿入可能な孔部（不図示）が形成されている。
【００２６】
ポンプ部３０は、回転軸２９に固定されたインペラ３１と、インペラ３１を覆う（収納する）ポンプケーシング３２と、を備え、これらインペラ３１及びポンプケーシング３２により水の流路Ｆが形成されている。
【００２７】
インペラ３１は、ステンレスや樹脂等で成型され、円板状で、その中央に回転軸２９が挿入されるベース部３３と、ベース部３３の一方の主面に設けられた複数の羽根３４と、羽根３４を覆うシュラウド３５と、を備えている。
【００２８】
ポンプケーシング３２は、インペラ３１を覆うとともに、その中心に回転軸２９が貫通し、この貫通する回転軸２９の外周面とその内周面により流路Ｆを形成する貫通口３６を備えている。また、ポンプケーシング３２は、一端部３７が２段形状の雄状に形成され、他端部３８が雌状に形成されている。このように、ポンプケーシング３２は他のポンプケーシング３２、吸込ケーシング２０、及び、吐出ケーシング４０とＯリング等のパッキンを介して接続可能に形成されている。
【００２９】
吐出ケーシング４０は、ポンプケーシング３２の一端部３７に接続される吐出カバー４１と、この吐出カバー４１に接続された逆止弁４２と、この逆止弁４２に接続されたフランジ部４３と、を備えている。
【００３０】
吐出カバー４１は、薄皿状に形成されており、その外径が大に形成されている一端は、ポンプケーシング３２の一端部３７に接続される雌状の係合部４４と、その一端の外周部の４箇所（図１中一箇所のみ表示）に等間隔に配置された締結座４５と、を備えている。また、吐出カバー４１の、その外径が小に形成されている他端は、水を下流に流す開口部４６と、この開口部４６の周囲に設けられた逆止弁４２の弁座４７と、この弁座４７の周囲に設けられ、逆止弁４２が係合する弁取付部４８と、を備えている。さらに吐出カバー４１には、例えば、水抜き用のボール弁４９が設けられている。
【００３１】
逆止弁４２は、その一端が弁取付部４８に係合されるとともに、短筒状の胴部５０を有するカップ型に形成された弁ケーシング５１と、この弁ケーシング５１内に収納された弁体５２とを備えている。
【００３２】
弁ケーシング５１は、胴部５０の下端部に設けられ、吐出カバー４１の弁座４７の周りを囲う大きさに形成された、開口する入口５３と、胴部５０の上端部に設けられ、その径が入口５３より小さく形成された出口５４と、を有している。さらに弁ケーシング５１は、胴部５０の吐出カバー４１側に形成された第１フランジ５５と、第１フランジ５５と対向する弁ケーシング５１の端部に設けられ、ボルトＢ及びナットＮが螺合する複数、例えば４箇所にボルト孔５６ａが等間隔に配置された第２フランジ５６と、を有している。弁ケーシング５１の内部中央には、凸側を吐出側に配置され、中央部が貫通する傘状の壁部５７が設けられている。なお、弁ケーシング５１は、第１フランジ５５に設けられたボルト孔（不図示）と、吐出カバー４１のボルト孔（不図示）にボルトＢ等により脱着可能に接続されている。
【００３３】
また弁ケーシング５１には、第１フランジ５５と、第２フランジ５６とのそれぞれ互いに向き合う端面間に複数、例えば弁ケーシング５１の軸心を挟んだ２個所に掛け渡されたアーム部５８（図１中１つのみ図示）が形成されている。これらアーム部５８は、水中ポンプ１の吊下げや吊り上げが可能な強度に形成されている。
【００３４】
弁体５２は、壁部５７の中央を軸心沿いに摺動自在に貫通する軸部５９ａと、軸部５９ａの弁座４７側の端部に形成された弁部５９ｂとを有して構成される。これにより、弁部５９ｂは、弁座４７の開口縁と壁部５７の下端との間を移動自在に形成されている。弁部５９ｂは、これら部分（開口縁、下端）に突き当て可能、さらには弁座４７を開閉とする盤状に形成されている。
【００３５】
また、逆止弁４２は、弁体５２の吐出側側面と壁部５７の内面との間に弾性部材、例えばコイルばね６０が介装されており、コイルばね６０の弾性力で弁体５２を閉方向に常時付勢している。逆止弁４２は、このコイルばね６０により、弁座４７へ向かう吐出流が作用すると、弁部５９ｂが壁部５７の下端と突き当るまで押し上げ（開移動）可能に形成されている。又、水の流れが停止、即ち、弁部５９ｂに圧力が印加されなくなると、弁部５９ｂが弁座４７の周縁部と密接（閉移動）可能に形成されている。
【００３６】
フランジ部４３は、吐出口６１と、吐出口６１に設けられ、例えば配管等が螺合するテーパ螺子部６２と、をその中心に有している。尚、フランジ部４３は、ボルトＢが螺合するボルト孔４３ａを、例えば４箇所に等間隔に配置（図１中１箇所のみ図示）されており、第２フランジ５６とボルトＢにより締結されることとなる。
【００３７】
支持部材７０は、例えば樹脂やステンレス等で形成され、方形又は円柱状等に形成され、複数、例えば４箇所に設けられた脚部７１（図１中２箇所のみ図示）と、脚部７１と第１フランジ５５及びベース２３とをそれぞれ接続する連結部材７２とを備えている。
【００３８】
脚部７１は、その一方の主面（下面）が受水層や河底等に接地されるとともに、他方の主面（上面）にボルト軸７３を有している。
【００３９】
連結部材７２は、例えばその断面がＬ字状に形成された帯状又は扇状に形成されている。この連結部材７２の側面には、第１フランジ５５及びベース２３にボルトＢ等を介して接続される孔部が、底面には脚部７１のボルト軸７３が挿入されるとともに、ナットＮ等により脚部７１と接続される孔部がそれぞれ形成されている。
【００４０】
また、第１フランジ５５に設けられる支持部材７０には、脚部７１と連結部材７２との間には、緩衝部材として、例えば樹脂等により形成されたクッション７４を備えている。なお、第１フランジ５５側の支持部材７０だけではなく、ベース２３側の支持部材７０にも、クッション７４設ける構成としてもよい。
【００４１】
このように構成された水中ポンプ１では、電源ケーブル１２から水中モータ１０に電源が供給されると、水中モータ１０の出力軸１３が回転する。回転軸２９は、継手１４を介して出力軸１３の回転に追従して回転（駆動）する。同様に、回転軸２９に固定されているインペラ３１も回転（駆動）することとなる。このとき、水中ポンプ１は水中に配置されており、吸込ケーシング２０の小孔２５及び吸込口２６から吸込ケーシング２０内部及びポンプ部３０内部に水が進入し、水が充満した状態となる。
【００４２】
この状態で、回転軸２９に追従して各インペラ３１が回転すると、ポンプ部３０内に進入した水は、各インペラ３１で増圧されるとともに、流路Ｆに示すように、順次ポンプ部３０内を移動することとなる。このように、水はインペラ３１により増圧され、増圧された水により逆止弁４２の弁体５２は開方向へ移動を行い、吐出口６１から配管Ｐを介して水が揚水されることとなる。
【００４３】
インペラ３１で水が増圧されるとともに、水が揚水（移動）されると、吸込ケーシング２０内の水圧は水中ポンプ１外周の水圧より低圧となる。このため、ストレーナ２７の吸込口２６を介して水が吸込ケーシング２０内に進入することとなる。この繰返しにより、水中ポンプ１作動時においては、水が流路Ｆに示すように増圧され、配管Ｐを介して揚水されることとなる。
【００４４】
このような水中ポンプ１により揚水がなされる際に、例えば水に含まれる気泡や、吸込ケーシング２０内の水圧が低圧になることで気泡が発生することがある。このような気泡は、その一部が横置きされている吸込ケーシング２０の上方に溜まり、他の一部が流路Ｆに従って水と一緒にポンプ部３０に移動することとなる。このような気泡は、ある一定以上の気泡がポンプ部３０に移動すると、インペラ３１又はポンプケーシング３２に溜まり、ガスロックや脈動等が発生することがある。
【００４５】
このガスロックは、気泡が空回りすることにより、水が増圧されず、下流に水を揚水できなくなる虞がある。このようなガスロックが発生した場合には、水中ポンプ１内のガス抜きを行なう必要がある。また、脈動が発生すると、水の吐出量が一定でなくなるとともに、振動や騒音が発生する虞がある。
【００４６】
水中ポンプ１の連続運転時においては、少量の気泡がポンプ部３０内を移動するため、ポンプ部３０内に気泡が溜まることは少なく、ガスロックや脈動が発生する虞は殆どない。しかし、水中ポンプ１の運転後、水中ポンプ１の運転を停止させると、気泡は吸込ケーシング２０の上方に溜まる。このため、水中ポンプ１停止後、水中ポンプ１を再度運転させた際に、これら溜まった気泡がポンプ部３０に吸込まれる虞があり、ガスロック及び脈動が発生する可能性がある。
【００４７】
吸込ケーシング２０に設けられた小孔２５は、水中ポンプ１作動時においては、吸込口２６と同様に、小孔２５から水を吸込ケーシング２０内に吸込むこととなる。しかし、水中ポンプの運転停止後においては、小孔２５は、吸込ケーシング２０の上部に設けられているため、吸込ケーシング２０の上方に溜まった気泡は小孔２５から外部へと排出されることとなる。このように、吸込ケーシング２０の内部には、気泡は殆ど溜まらず、水中ポンプ１を再度運転させた際に、気泡がインペラ３１によりポンプ部３０へ吸込まれることが殆どない。尚、このとき、吸込ケーシング２０の内部に小孔２５から排出されなかった気泡が溜まっていても、水と一緒に揚水（移動）可能な料であり、ガスロックや脈動を発生させるほどには至らない。
【００４８】
また、このような水中ポンプ１には、図１に示すように、運転可能最低水位Ｗ１が設定されている。即ち、運転可能最低水位Ｗ１は、水中ポンプ１のストレーナ２７に設けられている吸込口２６の高さＨ１から、水中ポンプ１の吸込能力を考慮し、水と一緒に空気を吸込まない水面Ｓから吸込口２６までの距離（Ｗ１−Ｈ１）を足した距離が設定されている。この運転可能最低水位Ｗ１以下で水中ポンプ１を運転すると、吸込ケーシング２０内に空気が吸込まれ、ガスロックや脈動の発生の原因となるため、水中ポンプ１は、運転可能最低水位Ｗ１以下となった場合は、運転を停止させる。これにより、水中ポンプ１のガスロックや脈動を防止することが可能となる。
【００４９】
このような構成の水中ポンプ１によれば、水中ポンプ１の運転可能最低水位Ｗ１は、ストレーナ２７の吸込口２６の高さから、水面Ｓまでの所定の距離（Ｗ１−Ｈ１）を離間させたものであるため、ストレーナ２７を一定の高さまで設けることで、運転可能最低水位Ｗ１を低くすることができる。このため、受水槽や河川等で水中ポンプ１を用いた場合であっても、効果的に水を揚水することが可能となる。特に、受水槽等で水中ポンプを用いる場合に、受水槽内の使用（揚水）可能な水が多くなり、受水槽を大型とする必要がない、即ち、受水槽の小型化となる。
【００５０】
また、吸込ケーシング２０に小孔２５を設けることで、水中ポンプ１停止時に、小孔２５から吸込ケーシング２０内の気泡を排出可能となり、ガスロックや脈動の発生を防止することが可能となる。また、水中ポンプ１の作動時において、運転可能最低水位Ｗ１の際、小孔２５から水と一緒に空気を吸込んだとしても、吸込む空気の量は少量であり、ガスロック及び脈動を発生させる虞は殆ど無く、運転可能最低水位Ｗ１が高くなることがない。また、同様に、水中ポンプ１のポンプ効率を低下させることもない。
【００５１】
さらに、第１フランジ５５側に設けられた支持部材７０の脚部７１と連結部材７２との間にクッション７４を設けることで、水中ポンプ１の作動時に、インペラ３１の回転により発生する振動等を緩衝することが可能となる。これにより、水中ポンプ１の運転時に発生する騒音を低減することが可能となる。特に、脈動発生時等においては、振動による騒音等が発生するため、効果的に騒音を低減することができる。また、水中ポンプ１の振動による倒れ等も防止することが可能となる。
【００５２】
上述したように本発明の水中ポンプ１によれば、ストレーナ２７の吸込口２６を吸込ケーシング２０の軸心線より若干高い位置とすることで、吸込み能力を低下させず、運転可能最低水位Ｗ１を低くすることが可能となる。また、気泡によるガスロック及び脈動等を防止可能となり、振動及び騒音の低減をも可能となる。
【００５３】
なお、本発明は前記実施の形態に限定されるものではない。例えば、上述した小孔２５は、一つではなく複数設けても良い。複数設けることで確実に吸込ケーシング２０内の気泡を排出することが可能となる。また、上述したストレーナ２７は、吸込ケーシング２０の軸心線より若干高い位置まで吸込口２６を設けるとしたが、これは、吸込ケーシング２０の軸心線と同位置や、軸心線よりも低い位置としてもよい。このように、吸込口２６の位置を低くすることで、運転可能最低水位Ｗ１をより低くすることが可能となり、使用可能な水を多くすることが可能となる。これにより、効果的に揚水できるとともに、受水槽を小型とすることが可能となり、さらに、河川等の低水位時においても揚水が可能となる。即ち、水中ポンプ１を横置きにした場合に、上方に位置する吸込ケーシング２０の上方に、ストレーナ２７が設けられていなければ良い。
【００５４】
また、上述した水中ポンプ１は、横置きにして設置するとしたが、使用環境によっては、ベース２３を台座とし、縦置きに配置させて用いることもできる。このように、横置きだけではなく、縦置きも可能な水中ポンプとすることで、汎用性を向上させることとなる。この他、本発明の要旨を逸脱しない範囲で種々変形実施可能である。
【図面の簡単な説明】
【００５５】
【図１】本発明の一実施の形態に係る水中ポンプの構成を示す部分断面図。
【図２】従来の水中ポンプの構成を示す部分断面図。
【符号の説明】
【００５６】
１…水中ポンプ、１０…水中モータ、１１…モータ本体、１２…電源ケーブル、１３…出力軸、１４…継手、２０…吸込ケーシング、２１…接続部、２１ａ…締結座、２２…ケーシング部、２３…ベース、２４…固定部、２５…小孔、２６…吸込口、２７…ストレーナ、２８…台座部、２９…回転軸、３０…ポンプ部、３１…インペラ、３２…ポンプケーシング、３２…他のポンプケーシング、３３…ベース部、３４…羽根、３５…シュラウド、３６…貫通口、３７…一端部、３８…他端部、４０…吐出ケーシング、４１…吐出カバー、４２…逆止弁、４３…フランジ部、４３ａ…ボルト孔、４４…係合部、４５…締結座、４６…開口部、４７…弁座、４８…弁取付部、４９…ボール弁、５０…胴部、５１…弁ケーシング、５２…弁体、５３…入口、５４…出口、５５…フランジ、５６ａ…ボルト孔、５６…フランジ、５７…壁部、５８…アーム部、５９ａ…軸部、５９ｂ…弁部、６１…吐出口、６２…テーパ螺子部、７０…支持部材、７１…脚部、７２…連結部材、７３…ボルト軸、７４…クッション、Ｆ…流路、Ｓ…水面、Ｂ…ボルト、Ｎ…ナット、Ｐ…配管、Ｗ１…運転可能最低水位。
【図１】
2009079502.tif 000003
【図２】
2009079502.tif 000004